【手続補正書】
【提出日】平成30年7月2日(2018.7.2)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ワイヤレスデバイスにおいてアップリンク制御情報を生成することと、
無認可無線周波数スペクトル帯域のキャリアのインターレースを通じて前記アップリンク制御情報を送信することと、前記インターレースが、前記無認可無線周波数スペクトル帯域における複数の非連続同時リソースブロックを備え、
前記インターレースにおける少なくとも２つのリソースブロックは、前記アップリンク制御情報の異なる部分を備える、
を備え、
前記アップリンク制御情報を生成することが、
ダウンリンク送信を受信することと、
前記ダウンリンク送信に関する確認応答情報を生成することと、前記アップリンク制御情報が前記確認応答情報を備える、
を備えることを特徴とする、
方法。
【請求項２】
前記確認応答情報は、
前記ダウンリンク送信の個別コードブロックまたは前記ダウンリンク送信のコードブロックのグループ、に関するコードブロックレベル確認応答情報、または、
前記ダウンリンク送信の個別トランスポートブロックまたは前記ダウンリンク送信のトランスポートブロックのグループ、に関するトランスポートブロックレベル確認応答情報
を備える、請求項１に記載の方法。
【請求項３】
ジョイントコーディングされた確認応答ビットを生成するために、前記確認応答情報の複数の確認応答ビットに対してジョイントコーディングを実行すること
をさらに備える、請求項１に記載の方法。
【請求項４】
前記キャリアの前記インターレースを通じて前記アップリンク制御情報を送信することは、
前記インターレースの各リソースブロックを通じて前記ジョイントコーディングされた確認応答ビットの異なる部分を送信すること
を備える、請求項３に記載の方法。
【請求項５】
前記複数の非連続同時リソースブロックは、均一拡散パターンに従って周波数で離間される、請求項１に記載の方法。
【請求項６】
前記アップリンク制御情報は、フォーマット１ａ、フォーマット１ｂ、フォーマット２、およびフォーマット３から成るグループからの物理アップリンク制御チャネル（ＰＵＣＣＨ）フォーマットに従って送信される、請求項１に記載の方法。
【請求項７】
前記アップリンク制御情報は、前記無認可無線周波数スペクトル帯域に関するチャネル状態情報（ＣＳＩ）を備える、請求項１に記載の方法。
【請求項８】
ワイヤレス通信のための装置であって、
ワイヤレスデバイスにおいてアップリンク制御情報を生成するための手段と、
無認可無線周波数スペクトル帯域のキャリアのインターレースを通じて前記アップリンク制御情報を送信するための手段と、前記インターレースが、前記無認可無線周波数スペクトル帯域における複数の非連続同時リソースブロックを備え、
前記インターレースにおける少なくとも２つのリソースブロックは、前記アップリンク制御情報の異なる部分を備える、
を備え、
アップリンク制御情報を生成するための前記手段が、
ダウンリンク送信を受信するための手段と、
前記ダウンリンク送信に関する確認応答情報を生成するための手段と、前記アップリンク制御情報が前記確認応答情報を備える、
を備えることを特徴とする、
装置。
【請求項９】
前記確認応答情報は、
前記ダウンリンク送信の個別コードブロックまたは前記ダウンリンク送信のコードブロックのグループ、に関するコードブロックレベル確認応答情報、または、
前記ダウンリンク送信の個別トランスポートブロックまたは前記ダウンリンク送信のトランスポートブロックのグループ、に関するトランスポートブロックレベル確認応答情報
を備える、請求項８に記載の装置。
【請求項１０】
ジョイントコーディングされた確認応答ビットを生成するために、前記確認応答情報の複数の確認応答ビットに対してジョイントコーディングを実行するための手段
をさらに備える、請求項８に記載の装置。
【請求項１１】
前記キャリアの前記インターレースを通じて前記アップリンク制御情報を送信するための前記手段は、
前記インターレースの各リソースブロックを通じて前記ジョイントコーディングされた確認応答ビットの異なる部分を送信するための手段
を備える、請求項１０に記載の装置。
【請求項１２】
前記複数の非連続同時リソースブロックは、均一拡散パターンに従って周波数で離間される、請求項８に記載の装置。
【請求項１３】
前記アップリンク制御情報は、フォーマット１ａ、フォーマット１ｂ、フォーマット２、およびフォーマット３から成るグループからの物理アップリンク制御チャネル（ＰＵＣＣＨ）フォーマットに従って送信される、請求項８に記載の装置。
【請求項１４】
前記アップリンク制御情報は、前記無認可無線周波数スペクトル帯域に関するチャネル状態情報（ＣＳＩ）を備える、請求項８に記載の装置。
【請求項１５】
請求項１〜７のうちの一項に記載の方法を実行するための命令を備える、コンピュータプログラム。
【手続補正２】
【補正対象書類名】明細書
【補正対象項目名】０２９６
【補正方法】変更
【補正の内容】
【０２９６】
[0322]本開示についての以上の説明は、当業者が本開示を作成または使用することができるように提供されたものである。本開示への様々な修正は当業者には容易に明らかとなり、本明細書で定義される一般原理は、本開示の範囲から逸脱することなく他の変形形態に適用され得る。したがって、本開示は、本明細書で説明した例および設計に限定されるべきでなく、本明細書で開示した原理および新規の特徴に一致する最も広い範囲を与えられるべきである。
以下に本願の出願当初の特許請求の範囲に記載された発明を付記する。
[Ｃ１]  ワイヤレス通信のための方法であって、
ワイヤレスデバイスにおいてアップリンク制御情報を生成することと、
無認可無線周波数スペクトル帯域のコンポーネントキャリアのインターレースを通じて前記アップリンク制御情報を送信することと、前記インターレースが、前記無認可無線周波数スペクトル帯域における複数の非連続同時リソースブロックを備える、
を備え、
前記インターレースにおける少なくとも２つのリソースブロックは、前記アップリンク制御情報の異なる部分を備える、方法。
[Ｃ２]  前記アップリンク制御情報を生成することは、
ダウンリンク送信を受信することと、
前記ダウンリンク送信に関する確認応答情報を生成することと、前記アップリンク制御情報が前記確認応答情報を備える、
を備える、Ｃ１に記載の方法。
[Ｃ３]  前記確認応答情報は、前記ダウンリンク送信の個別コードブロックまたは前記ダウンリンク送信のコードブロックのグループ、に関するコードブロックレベル確認応答情報を備える、Ｃ２に記載の方法。
[Ｃ４]  前記確認応答情報は、前記ダウンリンク送信の個別トランスポートブロックまたは前記ダウンリンク送信のトランスポートブロックのグループ、に関するトランスポートブロックレベル確認応答情報を備える、Ｃ２に記載の方法。
[Ｃ５]  ジョイントコーディングされた確認応答ビットを生成するために、前記確認応答情報の複数の確認応答ビットに対してジョイントコーディングを実行すること
をさらに備える、Ｃ２に記載の方法。
[Ｃ６]  前記コンポーネントキャリアの前記インターレースを通じて前記アップリンク制御情報を送信することは、
前記インターレースの各リソースブロックを通じて前記ジョイントコーディングされた確認応答ビットの異なる部分を送信すること
を備える、Ｃ５に記載の方法。
[Ｃ７]  前記複数の非連続同時リソースブロックは、均一拡散パターンに従って周波数で離間される、Ｃ１に記載の方法。
[Ｃ８]  前記アップリンク制御情報は、フォーマット１ａ、フォーマット１ｂ、フォーマット２、およびフォーマット３から成るグループからの物理アップリンク制御チャネル（ＰＵＣＣＨ）フォーマットに従って送信される、Ｃ１に記載の方法。
[Ｃ９]  前記アップリンク制御情報は、前記無認可無線周波数スペクトル帯域に関するチャネル状態情報（ＣＳＩ）を備える、Ｃ１に記載の方法。
[Ｃ１０]  ワイヤレス通信のための装置であって、
ワイヤレスデバイスにおいてアップリンク制御情報を生成するための手段と、
無認可無線周波数スペクトル帯域のコンポーネントキャリアのインターレースを通じて前記アップリンク制御情報を送信するための手段と、前記インターレースが、前記無認可無線周波数スペクトル帯域における複数の非連続同時リソースブロックを備える、
を備え、
前記インターレースにおける少なくとも２つのリソースブロックは、前記アップリンク制御情報の異なる部分を備える、装置。
[Ｃ１１]  アップリンク制御情報を生成するための前記手段は、
ダウンリンク送信を受信するための手段と、
前記ダウンリンク送信に関する確認応答情報を生成するための手段と、前記アップリンク制御情報が前記確認応答情報を備える、
を備える、Ｃ１０に記載の装置。
[Ｃ１２]  前記確認応答情報は、前記ダウンリンク送信の個別コードブロックまたは前記ダウンリンク送信のコードブロックのグループ、に関するコードブロックレベル確認応答情報を備える、Ｃ１１に記載の装置。
[Ｃ１３]  前記確認応答情報は、前記ダウンリンク送信の個別トランスポートブロックまたは前記ダウンリンク送信のトランスポートブロックのグループ、に関するトランスポートブロックレベル確認応答情報を備える、Ｃ１１に記載の装置。
[Ｃ１４]  ジョイントコーディングされた確認応答ビットを生成するために、前記確認応答情報の複数の確認応答ビットに対してジョイントコーディングを実行するための手段
をさらに備える、Ｃ１１に記載の装置。
[Ｃ１５]  前記コンポーネントキャリアの前記インターレースを通じて前記アップリンク制御情報を送信するための前記手段は、
前記インターレースの各リソースブロックを通じて前記ジョイントコーディングされた確認応答ビットの異なる部分を送信するための手段
を備える、Ｃ１４に記載の装置。
[Ｃ１６]  前記複数の非連続同時リソースブロックは、均一拡散パターンに従って周波数で離間される、Ｃ１０に記載の装置。
[Ｃ１７]  前記アップリンク制御情報は、フォーマット１ａ、フォーマット１ｂ、フォーマット２、およびフォーマット３から成るグループからの物理アップリンク制御チャネル（ＰＵＣＣＨ）フォーマットに従って送信される、Ｃ１０に記載の装置。
[Ｃ１８]  前記アップリンク制御情報は、前記無認可無線周波数スペクトル帯域に関するチャネル状態情報（ＣＳＩ）を備える、Ｃ１０に記載の装置。
[Ｃ１９]  ワイヤレス通信のための装置であって、
プロセッサと、
前記プロセッサに結合されたメモリと
を備え、前記プロセッサは、
ワイヤレスデバイスにおいてアップリンク制御情報を生成することと、
無認可無線周波数スペクトル帯域のコンポーネントキャリアのインターレースを通じて前記アップリンク制御情報を送信することと、前記インターレースが、前記無認可無線周波数スペクトル帯域における複数の非連続同時リソースブロックを備える、
を行うように構成され、
前記インターレースにおける少なくとも２つのリソースブロックは、前記アップリンク制御情報の異なる部分を備える、装置。
[Ｃ２０]  前記アップリンク制御情報を生成することは、
ダウンリンク送信を受信することと、
前記ダウンリンク送信に関する確認応答情報を生成することと、前記アップリンク制御情報が前記確認応答情報を備える、
を備える、Ｃ１９に記載の装置。
[Ｃ２１]  前記確認応答情報は、前記ダウンリンク送信の個別コードブロックまたは前記ダウンリンク送信のコードブロックのグループ、に関するコードブロックレベル確認応答情報を備える、Ｃ２０に記載の装置。
[Ｃ２２]  前記確認応答情報は、前記ダウンリンク送信の個別トランスポートブロックまたは前記ダウンリンク送信のトランスポートブロックのグループ、に関するトランスポートブロックレベル確認応答情報を備える、Ｃ２０に記載の装置。
[Ｃ２３]  前記プロセッサは、ジョイントコーディングされた確認応答ビットを生成するために、前記確認応答情報の複数の確認応答ビットに対してジョイントコーディングを実行するように構成される、Ｃ２０に記載の装置。
[Ｃ２４]  前記コンポーネントキャリアの前記インターレースを通じて前記アップリンク制御情報を送信することは、
前記インターレースの各リソースブロックを通じて前記ジョイントコーディングされた確認応答ビットの異なる部分を送信すること
を備える、Ｃ２３に記載の装置。
[Ｃ２５]  前記複数の非連続同時リソースブロックは、均一拡散パターンに従って周波数で離間される、Ｃ１９に記載の装置。
[Ｃ２６]  前記アップリンク制御情報は、フォーマット１ａ、フォーマット１ｂ、フォーマット２、およびフォーマット３から成るグループからの物理アップリンク制御チャネル（ＰＵＣＣＨ）フォーマットに従って送信される、Ｃ１９に記載の装置。
[Ｃ２７]  前記アップリンク制御情報は、前記無認可無線周波数スペクトル帯域に関するチャネル状態情報（ＣＳＩ）を備える、Ｃ１９に記載の装置。
[Ｃ２８]  プロセッサによって実行可能な命令を記憶するための非一時的コンピュータ可読媒体であって、
ワイヤレスデバイスにおいてアップリンク制御情報を生成するための命令と、
無認可無線周波数スペクトル帯域のコンポーネントキャリアのインターレースを通じて前記アップリンク制御情報を送信するための命令と、前記インターレースが、前記無認可無線周波数スペクトル帯域における複数の非連続同時リソースブロックを備える、
を備え、
前記インターレースにおける少なくとも２つのリソースブロックは、前記アップリンク制御情報の異なる部分を備える、非一時的コンピュータ可読媒体。
[Ｃ２９]  前記アップリンク制御情報を生成するための前記命令は、
ダウンリンク送信を受信するための命令と、
前記ダウンリンク送信に関する確認応答情報を生成するための命令と、前記アップリンク制御情報が前記確認応答情報を備える、
を備える、Ｃ２８に記載の非一時的コンピュータ可読媒体。
[Ｃ３０]  前記確認応答情報は、前記ダウンリンク送信の個別コードブロックまたは前記ダウンリンク送信のコードブロックのグループ、に関するコードブロックレベル確認応答情報を備える、Ｃ２９に記載の非一時的コンピュータ可読媒体。